(57)【要約】      （修正有） 【課題】引き戸を吊持する吊持具が案内レールを繰り返し走行し、引き戸によりレールに繰り返し荷重がかかっても、案内レールの変形を防止し、引き戸のスムースな移動を維持できる吊持案内装置を提供する。【解決手段】引き戸用の吊持案内装置１は、建物の出入口の上方に設置される案内レール６と、引き戸３を固定ネジ杆２２を介して取付け、案内レールに沿って移動する吊持具７と、を備える。案内レールは、長尺状の底板１４と起立板１５を備え、断面は逆Ｔ字形に形成されている。吊持具は、起立板を中央にはさんで両側に、それぞれ側壁部２６、２７、転動輪１９及び案内輪２０が位置し、転動輪は案内レールの底板に載置され底板上を転動可能に設けられ、案内輪は起立板に対して隙間４２をおいて設けられている。【選択図】図６
0003230971.tif 000002
【実用新案登録請求の範囲】
【請求項１】
案内レールと、案内レールに装着され引き戸を吊持して案内レールに沿って移動する吊持具と、を備えた引き戸用の吊持案内装置であって、
案内レールは、底板と起立板を備え、長手方向に垂直な断面は逆Ｔ字形に形成されており、
吊持具は、本体板枠、転動輪及び案内輪を備え、
本体板枠は、底部と両側の側壁部から成り、吊持具の移動方向に垂直な断面が凹字形に形成されており、
転動輪は、案内レールの起立板の両側に、互いに対向するように対となって、両側の側壁部の内面側に設けられ、案内レールの底板上を転動可能であり、
案内輪は、案内レールの起立板の両側に、互いに対向するように対となって、両側の側壁部の内面側に水平に設けられている構成であることを特徴とする引き戸用の吊持案内装置。
【請求項２】
本体板枠における両側の側壁部の内面に、それぞれ案内輪取付片が固定されており、案内輪は、案内輪取付片に回転可能に取り付けられている構成であることを特徴とする請求項１に記載の引き戸用の吊持案内装置。
【請求項３】
案内輪と案内レール起立板の隙間の間隔寸法は、案内レールの底板と本体板枠の側壁部との隙間の間隔寸法より小さい構成であることを特徴とする請求項１又は２に記載の引き戸用の吊持案内装置。
【考案の詳細な説明】
【技術分野】
【０００１】
本考案は、引き戸用の吊持案内装置に関し、より詳しくは、建物、例えば、工場、倉庫、ガレージ等の出入口を開閉する引き戸において、戸を開閉するために、戸を吊持し横方向に移動して案内する引き戸用の吊持案内装置に関する。
【背景技術】
【０００２】
従来、工場、倉庫、ガレージ等の建物の出入口における、戸を吊持し横方向に移動して案内する引き戸用の吊持案内装置について、出入口の上部に沿って案内レールを設け、この案内レールを走行する転動輪を有する吊り具によって戸を吊持する構成は知られている（特許文献１、２参照）。
【０００３】
従来例の引き戸用の吊持案内装置５０の一例を、図９において簡単に説明する。図９（ａ）に示すように、建物の出入口２に横方向に移動して出入口２を開閉する引き戸３が設けられている。引き戸用の吊持案内装置５０は、案内レール５１と吊持具５６を備えている。
【０００４】
出入口２に上部に沿って横方向に延びるように、案内レール５１が、図９（ｂ）に示すように、取付ブラケット５２によって、建物の構造体５３に取り付けられて配設されている。吊持具５６は、案内レール５１を転動して走行する転動輪５４を備え、この吊持具５６に引き戸３が吊持されて、引き戸３が横方向に移動して出入口２が開閉される。
【０００５】
案内レール５１の長手方向に直交する断面形状は、図９（ｃ）に示すように略逆Π字形をしており、その左右の底部５７上を、吊持具５６の転動輪５４が転動する。吊持具５６は、下方に垂下する取付軸５８を有し、この取付軸５８に引き戸３の上部をナットで締め付けて取り付ける。
【先行技術文献】
【特許文献】
【０００６】
【特許文献１】特許第２７２９４４３号公報
【特許文献２】特開２００６−１４４２２１号公報
【考案の概要】
【考案が解決しようとする課題】
【０００７】
図９に示すような従来例の引き戸用の吊持案内装置５０は、現在、多くの建物の出入口に使用され普及されているが、考案者等はそのメインテナンスを通して、次のような問題があるという知見を得た。
【０００８】
図９（ｃ）に示すような案内レール５１は、通常、厚さが４ｍｍ程度の細長い鋼板を断面が略逆Π字形となるように折り曲げ加工して形成している。しかし、引き戸３を吊持する吊持具５６の転動輪５４を案内レール５１上で繰り返し転動させていると、引き戸３の重量が案内レール５１に繰り返し荷重としてかかり、案内レール５１はその底部５７及び両側壁部６０が変形してくる。
【０００９】
そのために、案内レール５１の底部５７に凹凸が生じたり、両側壁部６０の内壁面に歪みが生じたりする。すると、転動輪５４は、底部５７の凹凸によって転動状態が悪くなったり、両側壁部６０の内壁面に接触したり、ひっかかかったりして、スムースな転動ができなくなる。
【００１０】
引き戸のメインテナンスの多くのケースは、このような案内レール５１の変形に対する補修であり、部分的な補修では間に合わない場合は、案内レール５１を全面的に新品に交換する必要も多々生じる。
【００１１】
ところで案内レール５１は、出入口２に沿って通常は直線的に配設するが、建物の出入口付近の構造等によっては、案内レール５１は平面視で曲線状の屈曲部分が設けられ場合もある。そのように部分があると、転動輪５４の側面が案内レール５１の内壁面に接触しやすくなり、上記案内レール５１の変形が生じやすく、スムースな転動を損ないやすい。
【００１２】
なお、上記のとおり、案内レールは、細長い鋼板を断面が略逆Π字形となるように折り曲げ加工して形成しているが、そのような製作は、レールの左右の内壁間を所定の精度で形成する等の問題を考慮すると必ずしも容易ではなく、コスト的にも好ましくない。
【００１３】
本考案は、従来の引き戸用の吊持案内装置における上記問題を解決することを目的とするものであり、案内レールに対して吊持具がスムースに移動でき、構造が簡単で、製作、メインテナンス等の観点から経済性に優れた引き戸用の吊持案内装置を実現することが課題である。
【課題を解決するための手段】
【００１４】
本考案は上記課題を解決するために、案内レールと、案内レールに装着され引き戸を吊持して案内レールに沿って移動する吊持具と、を備えた引き戸用の吊持案内装置であって、案内レールは、底板と起立板を備え、長手方向に垂直な断面は逆Ｔ字形に形成されており、吊持具は、本体板枠、転動輪及び案内輪を備え、本体板枠は、底部と両側の側壁部から成り、吊持具の移動方向に垂直な断面が凹字形に形成されており、転動輪は、案内レールの起立板の両側に、互いに対向するように対となって、両側の側壁部の内面側に設けられ、案内レールの底板上を転動可能であり、案内輪は、案内レールの起立板の両側に、互いに対向するように対となって、両側の側壁部の内面側に水平に設けられている構成であることを特徴とする引き戸用の吊持案内装置を提供する。
【００１５】
本体板枠における両側の側壁部の内面に、それぞれ案内輪取付片が固定されており、案内輪は、案内輪取付片に回転可能に取り付けられている構成であることが好ましい。
【００１６】
案内輪と案内レール起立板の隙間の間隔寸法は、案内レールの底板と本体板枠の側壁部との隙間の間隔寸法より小さい構成であることが好ましい。
【考案の効果】
【００１７】
本考案に係る引き戸用の吊持案内装置によれば、次のような効果が生じる。
【００１８】
（１）案内レールは、鋼材等から成る長細い板材を互いに溶接で固定して製作し、底板と起立板を備えた逆Ｔ字形の単純な構成であるので、製作ないし清掃等のメインテナンスが比較的容易であり、経済的にも優れている。
【００１９】
（２）案内レールは、底板と起立板は互いに溶接で固定するだけで製作可能であるので、曲げ加工等に比べ、十分な厚みの板材を使用でき、重量の大きな引き戸の移動により繰り返し荷重を受けても、案内レールの破損や変形を防止でき、メインテナンスの頻度を少なくし、長期にわたって吊持具のスムースな移動を維持する。
【００２０】
（３）吊持具は、転動輪が案内レールに沿って移動する際に、引き戸が走行方向の側方に寄っても、案内輪が案内レールの起立板に当接して回転するので、吊持具が案内レールに当接してひっかかかったり摩擦したりすることがなく、スムースな移動が可能となる。
【図面の簡単な説明】
【００２１】
【図１】本考案に係る引き戸用の吊持案内装置を適用した引き戸を示す正面図である。
【図２】本考案に係る引き戸用の吊持案内装置の実施例におけるレールを示す図であり、（ａ）はレールの斜視図であり、（ｂ）はレールの長手方向に切り取った一部の斜視図であり、（ｃ）は（ａ）に示すレールの一部の側面図であり、（ｄ）は（ｂ）に示すレールの一部の正面図である。
【図３】上記実施例において吊持具を示す図であり、（ａ）は平面図であり、（ｂ）は（ａ）のＢ−Ｂ断面図である。
【図４】上記実施例において吊持具を示す図であり、（ａ）は斜視図であり、（ｂ）は正面向かって右側方やや上方から見た図である。
【図５】上記実施例において吊持具の案内輪を取り付ける案内輪取付片を説明する図であり、（ａ）は平面図であり、（ｂ）は正面図であり、（ｃ）は側面図である。なお、２点鎖線は、案内輪を示す。
【図６】上記実施例においてレールに吊持具を装着した使用状態を示す図であり、（ａ）は正面向かって右側方から見た図であり、（ｂ）は（ａ）の要部拡大図である。
【図７】上記実施例の使用状態を示す図であって、（ａ）は平面図であり、（ｂ）は正面向かって右側方から見た斜視図である。
【図８】上記実施例の変形例を示す図であって、（ａ）は平面図であり、（ｂ）は正面向かって右側方から見た斜視図である。
【図９】引き戸用の吊持案内装置の従来例を説明する図であり、（ａ）は引き戸の正面図であり、（ｂ）は（ａ）のＢ−Ｂ断面図であり、（ｃ）は（ｂ）の要部拡大図である。
【考案を実施するための最良の形態】
【００２２】
本考案に係る引き戸用の吊持案内装置を実施するための形態を実施例に基づいて図面を参照して、以下に説明する。
【実施例】
【００２３】
全体構成：
本考案に係る引き戸用の吊持案内装置の実施例を図１〜図８を参照して、以下説明する。図１は、建物の出入口２において、本考案に係る引き戸用の吊持案内装置１によって開閉可能な２枚の引き戸３の設けられた状態を示す図である。
【００２４】
本明細書では、引き戸３を屋内側から正面視し、正面手前側を正面側（屋内側）とし、その反対側（屋外側）を裏面側と言い、この正面側から裏面側の方向又はその逆方向を奥行き方向という。
【００２５】
また、引き戸３を屋内側から正面視し、左右を左右側、左右方向と言う。例えば、後記する吊持具７が移動する方向でもある案内レール６の長手方向が左右方向になり、上記奥行き方向は、案内レール６の長手方向に対して直交する方向である。
【００２６】
引き戸３は、出入口２の横幅に応じて、１〜複数枚配設されるが、本実施例では、引き戸３は２枚配設されており、それぞれ引き戸用の吊持案内装置１によって開閉方向（図１では正面向かって左右の方向）に移動可能である。
【００２７】
引き戸用の吊持案内装置１は、図１、図６、図７に示すように、案内レール６と、案内レール６で案内されて走行し引き戸３を吊持する吊持具７と、を備えている。
【００２８】
案内レール：
案内レール６は、建物の屋内側において、出入口２の上方に出入口２に沿って水平に配設され、図１、図６（ａ）に示すように、取付ブラケット１０を介して、建物の構造体１１にボルト１２で固定される。
【００２９】
案内レール６は、図２（ａ）〜（ｄ）に示すように、長細い底板（長尺状の底板）１４と、底板１４の奥行き方向（長手方向に直交する巾方向）の中央に沿い垂直に起立した長細い起立板（長尺状の起立板）１５と、を備えている。
【００３０】
底板１４及び起立板１５は、それぞれ長細い鋼板等から成り、底板１４に対して起立板１５を溶接で起立状態に固定されている。案内レール６は、その長手方向に垂直な断面形状は、逆Ｔ字形である（図２（ｃ）参照）。
【００３１】
このように、案内レール６は、構成が単純な形状をしており、鋼板等の素材を溶接することで、比較的容易に製作できる。そして、その製作に際して、基本的には曲げ加工等する必要がない。
【００３２】
従って、鋼板等の素材の厚さは、引き戸３の重量に耐えられ強度を考慮して選択すればよい。そのために、引き戸３の繰り返しの開閉によって加えられる繰り返し荷重を受けても、案内レール６の変形を抑制できる。
【００３３】
吊持具：
吊持具７は、図３、図４に示すが、本体板枠１８、転動輪１９、案内輪２０、案内輪取付片２１及び引き戸固定ネジ杆２２を備えている。
【００３４】
ところで、前記したとおり、本明細書では、「正面側」及び「裏面側」という用語を使用するが、案内レール６を出入口２の上方に配設し、吊持具７を案内レール６に装着した状態で、案内レール６及び吊持具７についても同様に、建物の内側を正面側と言い、外側を裏面側と言う。
【００３５】
また、「奥行き方向」についても同様であり、案内レール６を出入口２の上方に配設し、吊持具７を案内レール６に装着した状態で、案内レール６についてはその長手方向に直交する方向を言い、また吊持具７については、移動する方向に直交する方向（本体板枠１８の正面側から裏面側に向かう方向）を言う。
【００３６】
本体板枠１８は、鋼材等から形成され、図３（ａ）、（ｂ）、図４（ａ）、（ｂ）に示すように、底部２５と、底部２５の両側の側壁部２６、２７と、を有し、案内レール６上で移動する方向に垂直な断面が略凹字形（図４参照）である。
【００３７】
ここで、本体板枠１８の「底部２５の両側の側壁部２６、２７」は、底部２５の奥行き方向の両側（奥行き端と手前端）の側壁部であり、より具体的には、底部２５の正面側及び裏面側においてそれぞれ底部２５から上方に向けて垂直に形成された側壁部２６、２７である。
【００３８】
転動輪１９については、２つの転動輪１９が、互いの側面が本体板枠１８の内側に向けて互いに向き合うように一対となって設けられている。より具体的には、２つの転動輪１９は、それぞれ正面側の側壁部２６及び裏面側の側壁部２７の内側に、ボルト軸２９（転動輪１９を取り付ける軸）とナット３０によって回転可能に取付けられている（図３（ａ）、図４（ａ）、（ｂ）参照）。
【００３９】
案内輪２０は、図３（ａ）、図４（ａ）、（ｂ）等に示すように、転動輪１９を挟んで左右（吊持具７の移動方向の前後）において、それぞれ正面側の側壁部２６及び裏面側の側壁部２７から、間隔２８を隔てて互いに対向するように対となって、計２対配設されている。
【００４０】
より具体的には、正面側の側壁部２６及び裏面側の側壁部２７の内面には、図３（ａ）、図４（ａ）、（ｂ）に示すように、それぞれ案内輪取付片２１が固定されている。案内輪取付片２１は、図５（ａ）〜（ｃ）の実線に示すような形状の板材から成り、その左右にそれぞれ本体板枠１８の中心方向に向けて突出するように、水平な案内輪取付部３３が形成されている。
【００４１】
この案内輪取付片２１の左右の案内輪取付部３３に、図５（ａ）〜（ｃ）の想像線に示すように、案内輪２０が水平に回転可能に取り付けられる。即ち、正面側の側壁部２６及び裏面側の側壁部２７の内面に固定された案内輪取付片２１の左右の案内輪取付部３３には、それぞれ案内輪２０が回転可能に水平な状態で取り付けられている。
【００４２】
図３（ｂ）は図３（ａ）のＢ−Ｂ断面を示すが、裏面側の側壁部２７に案内輪取付片２１が固定され、案内輪取付片２１の左右において水平に形成された案内輪取付部３３に、案内輪２０が水平に回転可能に取り付けられている構成を示している。
【００４３】
図３（ａ）、図４（ａ）、図７（ａ）に示すように、２対の案内輪２０は、１対の転動輪１９を挟んで左右に設けられている。案内輪２０は、転動輪１９を取り付けるボルト軸２９の頭部３１に較べて、正面側の側壁部２６及び裏面側の側壁部２７からより中心に向けて突出するように、案内輪取付部３３に取り付けられている。
【００４４】
換言する、対となった案内輪２０の間隔２８は、対となったボルト軸２９の頭部３１の間隔３４より小さい。
【００４５】
引き戸固定ネジ杆２２は、その頭部３７は、図３（ｂ）、図４（ｂ）、図６（ａ）、（ｂ）等に示すように、本体板枠１８の底部２５上に設けられ、そのネジ部３８は下方に貫通しており、ネジ部３８にはナット３９が螺着されている。
【００４６】
使用に際して、後記するが、吊持具７は、案内レール６に図６、図７に示すように装着される。図６（ａ）、（ｂ）は、案内レール６の起立板１５が、吊持具７の奥行き方向の中心になるように、吊持具７が案内レール６に装着された状態を示す。
【００４７】
この装着状態では、吊持具７の２対の案内輪２０の中間位置に、案内レール６の起立板１５（より正確には起立板１５の厚み方向の中心）が配置され、転動輪１９が案内レール６の底板１４に載置され転動可能な状態となる。
【００４８】
この状態で、本考案に係る引き戸用の吊持案内装置１では、図６（ｂ）、図７（ｂ）に示すように、案内輪２０と起立板１５の隙間４２の間隔寸法ｄ１は、案内レール６の底板１４と側壁部２６、２７の隙間４３の間隔寸法ｄ２より小さい構成とする。
【００４９】
さらに、図６（ｂ）、図７（ａ）に示すように、案内輪２０と起立板１５の隙間４２の間隔寸法ｄ１は、案内レール６の起立板１５と転動輪１９を取り付けるボルト軸２９の頭部３１の隙間４４の間隔寸法ｄ３より小さい構成とする。間隔寸法ｄ１とｄ２、ｄ３を、このような関係的な構成とすることによる作用、効果は、後記する。
【００５０】
なお、本実施例では、転動輪１９を取り付けるボルト軸２９（転動輪１９を取り付ける軸）の頭部３１は、転動輪１９より本体板枠１８の奥行き方向の中心に向けて突出している。
【００５１】
しかし、図８（ａ）、（ｂ）に変形例を示すように、頭部３１が転動輪１９内にあり、本体板枠１８の中心に向けて突出していない構成としてもよい。このような構成では、案内輪２０と起立板１５の隙間４２の間隔寸法ｄ１は、起立板１５と転動輪１９の隙間４５の間隔寸法ｄ４より小さい構成とする。
【００５２】
要するに、案内輪２０と起立板１５の隙間４２の間隔寸法ｄ１は、案内レール６の起立板１５とボルト軸２９（転動輪１９を取り付ける軸）の頭部３１の隙間４３の間隔寸法ｄ３（図７（ａ）参照）又は案内レール６の起立板１５と転動輪１９の隙間４５の間隔寸法ｄ４（図８（ａ）参照）より小さい構成とする。
【００５３】
（作用）                     
以上のような構成の案内レール６と吊持具７を備えた引き戸用の吊持案内装置１の作用を、使用状態等を通して説明する。
【００５４】
使用に際しては、案内レール６は、図１に示すように建物の出入口２の上方に沿って水平な状態で、図１、図６（ａ）に示すように、取付ブラケット１０を介して、建物の構造体１１にボルト１２で固定される。
【００５５】
吊持具７は、図６（ａ）、（ｂ）に示すように、引き戸３の頂部に引き戸固定ネジ杆２２と、そのネジ部３８に螺着されるナット３９によって固定される。引き戸３の横幅（左右方向の幅）にもよるが、１枚の引き戸３には通常複数の吊持具７が固定され、複数の吊持具７を介して引き戸３が吊持される。本実施例では、図１に示すように、１枚の引き戸３は２つの吊持具７で吊持されている。
【００５６】
吊持具７は、案内レール６の端部から案内レール６に装着される。吊持具７が案内レール６に装着された状態は、図６、図７に示すように、１対の転動輪１９は、案内レール６の起立板１５を中心としその両側に位置し、かつ底板１４上に載置され転動可能となる。
【００５７】
このように吊持具７は、案内レール６に装着されると、転動輪１９が案内レール６の底板１４上を転動し、引き戸３を吊持した状態で長手方向に沿って移動可能となる。これにより、引き戸３は、開閉方向に引くことで、案内レール６に沿ってその長手方向にスムースに移動し、出入口２を開閉可能となる。
【００５８】
なお、図６（ａ）では、引き戸３の下端面にキャスタ４６を設け、このキャスタ４６を床４８に設けた案内溝４７に沿って移動する構成を示した。しかし、本考案は、あくまでも引き戸用の吊持案内装置１の構成を特徴とするものであり、引き戸３の下端を床面上で案内する構成を限定するものではない。
【００５９】
従って、引き戸３の下端又は床面にキャスタ又は突起を設け、それを床面又は引き戸３の下端に設けた溝や案内レールに沿って相対的に移動させる構成としてもよいし、引き戸３の下端と床面に僅かな隙間を設け、吊持具７で引き戸３を吊持するだけで床面では引き戸３を受けない構成としてもよい。あるいは、引き戸３の下端と床面の間に他の構成の案内手段を介在させる構成としてもよい。
【００６０】
本考案によれば、吊持具７は、その転動輪１９が案内レール６の底板１４上を転動して移動する際に、引き戸３が走行方向の側方（奥行き方向等）に寄っても、案内輪２０が案内レール６の起立板１５に当接して回転するので、スムースな移動が可能となる。
【００６１】
案内レール６に平面視でカーブ（湾曲）した部分があり、そこで、吊持具７が走行方向の側方に寄った場合でも、上記同様に、案内輪２０が案内レール６の起立板１５に当接し回転するので、吊持具７の側壁部２６、２７が案内レール６の起立板１５に接触してひっかかったり、摩擦したりすることが生じることなくスムースな移動が可能となる。      
【００６２】
特に、本考案に係る引き戸用の吊持案内装置１は、前記したとおり案内輪２０と起立板１５の隙間４２の間隔寸法ｄ１は、案内レール６の底板１４と側壁部２６、２７の隙間４３の間隔寸法ｄ２より小さく形成されているとともに、案内レール６の起立板１５と転動輪１９を取り付けるボルト軸２９の頭部３１の隙間４４の間隔寸法ｄ３（図８に示す変形例の構成では、案内レール６の起立板１５と転動輪１９の隙間４５の間隔寸法ｄ４）より小さい構成とした。
【００６３】
そのために、引き戸３が案内レール６に沿って移動した際に、走行方向に対して側方に寄っても、案内輪２０が起立板１５に接触して回転するので、吊持具７の側壁部２６、２７が底板１４に接触したり、或いは案内レール６の起立板１５に転動輪１９を取り付けるボルト軸２９が接触したりすることがないので、スムースな移動が可能となる。
【００６４】
ところで、本考案に係る引き戸用の吊持案内装置１では、案内レール６は、鋼材等から成る長細い板材を互いに溶接で固定し、底板１４と起立板１５とした逆Ｔ字形の単純な構成であるので、製作ないし清掃等のメインテナンスが比較的容易であり、経済的にも優れている。
【００６５】
そして、案内レール６は、底板１４と起立板１５は互いに溶接で固定するだけで製作可能であるので、曲げ加工等に比べ、十分な厚みの板材を使用できる。そのために、案内レール６は、重量の大きな引き戸３の移動によって繰り返し荷重を受けても、従来の案内レールでは生じやすい破損や変形を防止でき、メインテナンスの頻度も少なくし、長期にわたって吊持具７のスムースな移動を維持する。
【００６６】
以上、本考案に係る引き戸用の吊持案内装置を実施するための形態を実施例に基づいて説明したが、本考案はこのような実施例に限定されることなく、実用新案登録請求の範囲記載の技術的事項の範囲内で、いろいろな実施例があることは言うまでもない。
【産業上の利用可能性】
【００６７】
本考案に係る引き戸用の吊持案内装置は、工場、倉庫、ガレージ等の出入口を開閉する比較的、重量があり頑丈な構造の引き戸に適しており、また、案内レールの強度が大きく、変形が生じにくく、転動輪に加えて案内輪を設けることで、引き戸はスムースな移動が可能であるので、緊急時であってもスムースに開閉することが必要な防火用の引き戸、防火シャッタ等にも適用可能である。
【符号の説明】
【００６８】
１  引き戸用の吊持案内装置                                               
２  建物の出入口                                               
３  引き戸                                                     
６  案内レール                                                 
７  吊持具                                                     
１０  取付ブラケット                                           
１１  建物の構造体 
１２  取付ブラケットを建物の構造体に固定するボルト                            
１４  案内レールの底板                                         
１５  案内レールの起立板                                       
１８  本体板枠                                                 
１９  転動輪                                                   
２０  案内輪                                                   
２１  案内輪取付片                                             
２２  引き戸固定ネジ杆                                         
２５  吊持具の本体板枠の底部                                   
２６  正面側の側壁部                                           
２７  裏面側の側壁部                                           
２８  対となった案内輪の間隔                                   
２９  転動輪を取り付けるボルト軸                               
３０  転動輪を取り付けるナット
３１  転動輪を取り付けるボルト軸の頭部                               
３３  案内輪取付片の案内輪取付部                               
３４  対となった転動輪を取付けるボルトの頭部間の間隔                          
３７  引き戸固定ネジ杆の頭部                                   
３８  引き戸固定ネジ杆のネジ部                                 
３９  引き戸固定ネジ杆に螺着されるナット                       
４２  案内輪と案内レールの起立板の隙間                                     
４３  案内レールの底板と側壁部の吊持具の本体板枠の隙間
４４  案内レールの起立板と転動輪を取り付けるボルト軸の頭部の隙間
４５  案内レールの起立板と転動輪の隙間    
４６  キャスタ                                                  
４７  案内溝
４８  床
５０  引き戸用の吊持案内装置
５１  案内レール
５２  取付ブラケット
５３  建物の構造体
５４  吊持具の転動輪
５６  吊持具
５７  案内レールの底部
５８  吊持具の取付軸
６０  案内レールの両側壁部                                                  
【図１】
0003230971.tif 000003
【図２】
0003230971.tif 000004
【図３】
0003230971.tif 000005
【図４】
0003230971.tif 000006
【図５】
0003230971.tif 000007
【図６】
0003230971.tif 000008
【図７】
0003230971.tif 000009
【図８】
0003230971.tif 000010
【図９】
0003230971.tif 000011